(57)【要約】【課題】作業者の墜落阻止時に安全ロープの複数のストランドにほぼ均等に負荷がかかるようにして、ストランドの破断を防止することができるようにしたロープ緊張器を提供することである。【解決手段】ロープ案内枠１に形成されたロープ案内面２ａおよびそのロープ案内面２ａとで安全ロープＬ０　を挟持する係合爪５のロープ挟持面９のそれぞれの断面形状を安全ロープＬ０　の外周に沿う円弧状とする。作業者の墜落阻止時に安全ロープＬ０　に引張り荷重が負荷されたとき、その円弧状のロープ案内面２ａとロープ挟持面９とで安全ロープＬ０　の３本のストランドａをほぼ均等に挟持し、その３本のストランドａにほぼ均等の引張り荷重が負荷されるようにしてストランドａの破断を防止する。また、ロープ挟持面９に突起１０を設けて安全ロープＬ０　を抜け止めし、安全性の向上を図る。【選択図】　図２
2004144241.tif 000002
【特許請求の範囲】
【請求項１】
一対の側板を有するロープ案内枠内に断面形状が円弧状のロープ案内面と、そのロープ案内面とで繊維から成る安全ロープを挟持する揺動可能な係合爪と、その係合爪を係合方向に付勢する弾性部材とを設け、前記係合爪の外周のロープ挟持面を係合爪の揺動中心までの距離がロープ導入側の一端から他端に至るに従って次第に大きくなる円弧状としたロープ緊張器において、前記ロープ挟持面の断面形状を円弧状とし、そのロープ挟持面に安全ロープの撚り合わされたストランド間の螺旋溝に対して係合可能な滑り止め用の突起をロープ挟持面の周方向に間隔をおいて設けたことを特徴とするロープ緊張器。
【発明の詳細な説明】
【０００１】
【発明の属する技術分野】
この発明は、高所作業位置に墜落防止用の安全ロープを張設する際に使用されるロープ緊張器に関するものである。
【０００２】
【従来の技術】
一般に、建設現場等の高所で作業を行なう場合、その作業位置に繊維から成る３本のストランドを撚り合わせた安全ロープを張設し、一方、作業者は腰部に高所作業用安全帯を締付け、その安全帯に接続されたフック付きロープの先端のフックを上記安全ロープに係合して、作業者の安全性を確保するようにしている。
【０００３】
上記安全ロープの張設に際して、ロープ緊張器が用いられる。そのロープ緊張器として、揺動可能に設けられた係合爪を安全ロープの外周に係合させて安全ロープを緊張状態に保持するようにしたものが従来から知られている（特許文献１参照）。
【０００４】
【特許文献１】
特許第２５６５７３９号公報（第２頁、図２および図５）
【０００５】
上記特許文献１に記載されたロープ緊張器においては、図５および図６に示すように、ロープ案内枠２１の一対の側板２２間にロープ支承体２３を取付け、そのロープ支承体２３の外周に安全ロープＬ０　を案内するロープ案内面２４を設け、前記一対の側板２２間には揺動可能な係合爪２５を設け、その係合爪２５とロープ案内面２４間に挿通された安全ロープＬ０　を上記係合爪２５とロープ案内面２４とで挟持して、安全ロープＬ０　を緊張状態に保持するようにしている。
【０００６】
ここで、係合爪２５は、その外周のロープ挟持面２６が係合爪２５の揺動中心までの距離がロープ導入側の一端から他端に至るに従って次第に大きくなる円弧状とされており、作業者の墜落阻止時に安全ロープＬ０　に引張り荷重が作用した際に、係合爪２５が安全ロープＬ０　に強く係合するようにしている。
【０００７】
また、係合爪２５のロープ挟持面２６の周方向にねじれ溝２７を等間隔に形成し、そのねじれ溝２７に安全ロープＬ０　の撚り合わされた一本のストランドａの一部を嵌合させ、その一本のストランドａを圧接するようにしている。
【０００８】
【発明が解決しようとする課題】
ところで、特許文献１に記載されたロープ緊張器においては、上記のように、係合爪２５のロープ挟持面２６に形成されたねじれ溝２７を繊維から成る安全ロープＬ０　の撚りのかかる一本のストランドａの一部に圧接させるようにしているため、作業者の墜落阻止時に安全ロープＬ０　にきわめて大きな引張り荷重が作用した場合、ねじれ溝２７に嵌合する一本のストランドａはすべり移動することができないためにきわめて大きな負荷がかかり、その一本のストランドａが破断して、安全ロープＬ０　の本来の強さを発揮させることができないという問題がある。
【０００９】
この発明の課題は、作業者の墜落阻止時に、安全ロープの複数のストランドにほぼ均等に負荷がかかるようにしてストランドの破断を防止し、ロープ本来の強さを発揮させることができるようにした安全性に優れたロープ緊張器を提供することである。
【００１０】
【課題を解決するための手段】
上記の課題を解決するために、この発明においては、一対の側板を有するロープ案内枠内に断面形状が円弧状のロープ案内面と、そのロープ案内面とで繊維から成る安全ロープを挟持する揺動可能な係合爪と、その係合爪を係合方向に付勢する弾性部材とを設け、前記係合爪の外周のロープ挟持面を係合爪の揺動中心までの距離がロープ導入側の一端から他端に至るに従って次第に大きくなる円弧状としたロープ緊張器において、前記ロープ挟持面の断面形状を円弧状とし、そのロープ挟持面に安全ロープの撚り合わされたストランド間の螺旋溝に対して係合可能な滑り止め用の突起をロープ挟持面の周方向に間隔をおいて設けた構成を採用したのである。
【００１１】
上記のように、係合爪のロープ挟持面の断面形状を円弧状とし、その円弧状のロープ挟持面を安全ロープに圧接させることによって、複数のストランドをほぼ同等の挟持力でもって挟持することができる。
【００１２】
このため、作業者の墜落阻止時に安全ロープにきわめて大きな引張り荷重が作用した場合に、安全ロープを形成する複数のストランドにほぼ均等の負荷をかけることができ、ストランドの破断を防止し、安全ロープ本来の強さを発揮させることができる。
【００１３】
また、ロープ挟持面にストランド間の螺旋溝に嵌合する突起を設けることにより、安全ロープの滑りを防止し、ロープの負荷方向に係合爪を追従回転させて係合爪の挾持力を増大させることができる。
【００１４】
【発明の実施の形態】
以下、この発明の実施の形態を図１乃至図４に基づいて説明する。図１乃至図３に示すように、ロープ案内枠１は、断面形状を円弧状とするロープ案内板２の両側に一対の側板３を連設しており、前記ロープ案内板２の円弧状内面がロープ案内面２ａとされ、そのロープ案内面２ａに安全ロープＬ０　の外周に対して係合可能な突起部４がロープ案内面２ａの長さ方向に間隔をおいて形成されている。
【００１５】
ここで、安全ロープＬ０　は繊維から成る３本のストランドａを撚り合わせており、ストランドａ間には螺旋溝ｂが形成されている。この安全ロープの一端部には、図４に示すように、フックＦ１　が接続されている。フックＦ１　はフック本体ｆ１　の鈎部開口を内側から開閉する揺動可能な片開翼ｆ２　と、その片開翼ｆ２　を閉鎖状態に保持する揺動可能な安全翼ｆ３　を有している。
【００１６】
ロープ案内枠１の一対の側板３間には係合爪５と、その係合爪５の一側方にロープ反転ガイド６とが組込まれている。
【００１７】
ロープ反転ガイド６は溝付きローラから成る。このロープ反転ガイド６は一対の側板３によって両端部が支持された軸７を中心として回転自在に支持されている。なお、ロープ反転ガイド６は円筒形ローラから成るものであってもよい。また、ロープ反転ガイド６は側板３に固定されたものであってもよい。
【００１８】
係合爪５は扇形をなし、一対の側板３によって両端部が支持されたピン８を中心にして揺動自在に支持されている。係合爪５はロープ案内面２ａとでその間に挿通される安全ロープＬ０　を挟持する。係合爪５の外周のロープ挟持面９は円弧状とされ、前記ピン８までの距離がロープ導入側の一端から他端に向けて次第に大きくなり、安全ロープＬ０　に負荷される引張り荷重が大きくなるにつれて安全ロープＬ０　に対する係合力が次第に高くなるようになっている。
【００１９】
ロープ挟持面９の断面形状は円弧状とされ、そのロープ挟持面９には安全ロープＬ０　の外周の螺旋溝ｂに対して係合可能な滑り止め用の突起１０が周方向に間隔をおいて形成されている。
【００２０】
係合爪５は前記ピン８に支持された弾性部材１１によって係合方向に付勢されている。
【００２１】
ロープ案内枠１の一対の側板３の先端部間にピン１２を介して連結具１３の一端部が屈曲自在に連結され、その連結具１３の他端部にピン１４を介してフック１５が屈曲自在に連結されている。ここで、フック１５は安全ロープＬ０　に接続されたフックＦ１　と同一の構成であるため同一部品には同一の符号を付して説明を省略する。
【００２２】
実施の形態で示すロープ緊張器は上記の構造から成り、安全ロープＬ０　の張設に際しては、図４に示すように、安全ロープＬ０　の一端部のフックＦ１　およびロープ案内枠１に接続されたフック１５のそれぞれを係合対象物Ｘに係合し、安全ロープＬ０　の他端部をロープ案内枠１の後端からロープ案内面２ａと係合爪５間に挿通し、かつロープ反転ガイド６の外周に沿わせて折り返し、その折り返し端部を引く操作によって安全ロープＬ０　を緊張させる。
【００２３】
安全ロープＬ０　の緊張後、引張り力を解除すると、弾性部材１１の弾力と安全ロープＬ０　が係合爪５を引く作用とによって係合爪５のロープ挟持面９が安全ロープＬ０　の外周に圧接し、そのロープ挟持面９とロープ案内面２ａとで安全ロープＬ０　が挟持され、安全ロープＬ０　は緊張状態に保持される。また、ロープ挟持面９に形成された突起１０は図２に示すように、安全ロープＬ０　の外周の螺旋溝ｂに係合する。
【００２４】
高所作業に際しては、作業者の腰部に高所作業用安全帯を締付け、その安全帯に接続されたロープの先端のフックを前記安全ロープＬ０　に係合して安全性を確保する。
【００２５】
上記のような作業状態において、作業者が万一足を踏み外して落下すると、作業者はフック付きロープにより受け止められて墜落するのが防止される。
【００２６】
このとき、安全ロープＬ０　にはきわめて大きな引張り荷重が負荷され、係合爪５の安全ロープＬ０　に対する圧接力が増大し、その係合爪５に形成されたロープ挟持面９とロープ案内枠１に設けられたロープ案内面２ａとで安全ロープＬ０　がしっかりと挟持される。
【００２７】
ここで、安全ロープＬ０　を挟持するロープ案内面２ａおよびロープ挟持面９の断面形状は円弧状であるため、安全ロープＬ０　の３本のストランドａはほぼ同等の挟持力で挟持される。
【００２８】
このため、作業者の墜落阻止によって安全ロープＬ０　に引張り荷重が負荷されると、安全ロープＬ０　を形成する３本のストランドａにほぼ均等に負荷が作用することになり、安全ロープＬ０　本来の強さを発揮させることができる。
【００２９】
また、ロープ挟持面９に安全ロープＬ０　の螺旋溝ｂに嵌合する突起１０を設けたことにより、その突起１０によって安全ロープＬ０　の滑り移動を防止することができ、安全ロープＬ０　の張力が増大した場合に、係合爪５を安全ロープＬ０　の負荷方向に追従回転させて、係合爪５の挾持力を増大させることにより、係合爪５によって安全ロープを強固に挾持させることができる。
【００３０】
【発明の効果】
以上のように、この発明においては、ロープ案内枠に形成された断面形状を円弧状とするロープ案内面と係合爪の外周に形成された断面形状を円弧状とするロープ挟持面とで安全ロープを挟持するようにしたので、作業者の墜落阻止時に安全ロープに負荷される引張り荷重を、安全ロープを形成する複数のストランドでほぼ均等に負荷させることができ、ストランドの破断を防止して安全ロープ本来の強さを発揮させることができる。
【００３１】
また、係合爪のロープ挟持面に滑り止め用の突起を設けたことによって係合爪を安全ロープの負荷方向に追従回転させることができ、係合爪の挾持力を増大させることができる。
【図面の簡単な説明】
【図１】この発明に係るロープ緊張器の実施形態を示す縦断正面図
【図２】図１の要部を拡大して示す断面図
【図３】図２のＩＩＩ　−ＩＩＩ　線に沿った断面図
【図４】ロープ緊張器の使用状態を示す正面図
【図５】従来のロープ緊張器を示す正面図
【図６】図５に示すロープ緊張器の係合爪を示す断面図
【符号の説明】
Ｌ０　　安全ロープ
ａ　ストランド
ｂ　螺旋溝
１　ロープ案内枠
２ａ　ロープ案内面
３　側板
５　係合爪
９　ロープ挟持面
１０　突起
【図１】
2004144241.tif 000003
【図２】
2004144241.tif 000004
【図３】
2004144241.tif 000005
【図４】
2004144241.tif 000006
【図５】
2004144241.tif 000007
【図６】
2004144241.tif 000008